(57)【要約】【課題】使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保する梱包構造、梱包方法、固定部材、画像形成装置等を提供すること。【解決手段】閉じた状態の開閉部材３１、３３、３４に巻き回す長さを有する電源コード２４と、閉じた状態の開閉部材３１、３３、３４に巻き回された電源コード２４に係合してこの状態を維持させることで開閉部材３１、３３、３４の開放を禁止するための係合構造４１とを有する。【選択図】      図３
2004252343.tif 000002
【特許請求の範囲】
【請求項１】
画像形成装置等の本体に備えられた閉じた状態の開閉部材の開放を禁止する梱包構造であって、
閉じた状態の開閉部材に巻き回す長さを有する電源コードと、
閉じた状態の開閉部材に巻き回された上記電源コードに係合してこの状態を維持させることで同開閉部材の開放を禁止するための係合構造とを有することを特徴とする梱包構造。
【請求項２】
請求項１記載の梱包構造において、上記開閉部材が画像形成装置等の本体上部に設けられ上方に向けて開放可能な蓋状の部材であることを特徴とする梱包構造。
【請求項３】
請求項１または２記載の梱包構造において、上記開閉部材が画像形成装置等の本体正面中央部に設けられ前方に向けて開放可能な扉状の部材であることを特徴とする梱包構造。
【請求項４】
請求項１ないし３の何れか１つに記載の梱包構造において、上記開閉部材が画像形成装置等の本体正面下部に設けられ前方に向けて開放可能な引き出し状の部材であることを特徴とする梱包構造。
【請求項５】
請求項１ないし４の何れか１つに記載の梱包構造において、上記係合構造が、画像形成装置等の本体に設けられ上記電源コードが嵌合する溝であることを特徴とする梱包構造。
【請求項６】
請求項１ないし４の何れか１つに記載の梱包構造において、上記係合構造が、画像形成装置等の本体に設けられ上記電源コードが嵌合する突起であることを特徴とする梱包構造。
【請求項７】
請求項５または６記載の梱包構造のうち上記開閉部材が画像形成装置等の本体部に設けられ前方に向けて開放可能な引き出し状の部材である梱包構造において、上記係合構造を、同引き出し状の部材のうち最下段に設けられた引き出し状の部材を開放した状態で露出する同引き出し状の部材の部分に設けたことを特徴とする梱包構造。
【請求項８】
請求項１ないし４の何れか１つに記載の梱包構造において、上記係合構造が、上記電源コードを着脱自在であるとともに、画像形成装置等の本体に固定可能な固定部材を有することを特徴とする梱包構造。
【請求項９】
請求項８記載の梱包構造において、上記係合構造が、画像形成装置等の本体に形成された、上記固定部材に係合して同固定部材を固定する孔を有することを特徴とする梱包構造。
【請求項１０】
請求項８記載の梱包構造のうち上記開閉部材が画像形成装置等の本体部に設けられ前方に向けて開放可能な引き出し状の部材である梱包構造において、上記係合構造が、同引き出し状の部材と、他の部材との間の、上記固定部材を挟持する大きさを有する間隙部であることを特徴とする梱包構造。
【請求項１１】
請求項８ないし１０の何れか１つに記載の梱包構造に備えられる固定部材。
【請求項１２】
請求項１ないし１０の何れか１つに記載の梱包構造を用いて画像形成装置等の本体に備えられた閉じた状態の開閉部材の開放を禁止する梱包方法。
【請求項１３】
請求項１２記載の梱包方法のうち請求項８ないし１０の何れか１つに記載の梱包構造を用いる梱包方法に用いる固定部材。
【請求項１４】
請求項１ないし１０の何れか１つに記載の梱包構造により画像形成装置等の本体に備えられた閉じた状態の開閉部材の開放を禁止される画像形成装置等。
【発明の詳細な説明】
【０００１】
【発明の属する技術分野】
本発明は、使用済みになった場合等に複写機、ファクシミリ、プリンタ等の画像形成装置、その他の電気機器等を運ぶ際の利便性を考慮して、前カバー等、かかる画像形成装置等に備えられた開閉部材の閉じた状態を維持し、この開放を禁止する梱包構造、梱包方法およびこれらに用いる固定部材ならびにかかる梱包構造、梱包方法により開閉部材の閉じた状態が維持され、この開放が禁止されるかかる画像形成装置等に関する。
【０００２】
【従来の技術】
使用済みとなった複写機、ファクシミリ、プリンタ等の画像形成装置等の回収機は、ユーザーが使用していた場所から通路などを通って建物内から建物外の輸送車両へ運び出される。この運び出しのときに、複写機の給紙トレイなどの可動部分がスライドして複写機本体から飛び出して通路の壁などにぶつかり、給紙トレイや壁が破損することがある。これを防止する手段として、搬出にあたって、壁に防護を施す等の養生を行うことが考えられる。
【０００３】
【発明が解決しようとする課題】
しかし、養生を運び出しの通路全体に行うことは非常に手間がかかるため、養生をするのは多数の回収機を搬出する場合のみで、通常は養生を施さないまま搬出することになるため、養生は、給紙トレイや壁の破損防止に適した手段とはいえない。
【０００４】
給紙トレイや壁の破損防止の手段として、他に、人手を増やす方法が考えられる。この場合、回収する複写機から給紙トレイが飛び出して壁にぶつからない様にガイドする人と、回収機を押す人の、少なくとも２人で運び出し作業を行うこととなる。しかし、１台の複写機を回収するのに２人がかりの作業を行うのでは、人件費がかかり過ぎる問題がある。
【０００５】
給紙トレイや壁の破損防止の手段として、他に、回収する複写機を個別に梱包する方法があるが、梱包材自体の費用がかかる、梱包の手間がかかる、梱包材を準備しなくてはならないといった問題がある。また、回収機が使用されていた場所で梱包をするための作業のスペースが確保できない場合があるという問題もある。さらに、ユーザーが複写機を使用できなくなる時間を短くするには、使用済みの複写機を搬出し、これから使用する複写機をセットするまでの時間を短くする必要があるため、梱包に時間がかかることは問題である。
【０００６】
また、梱包を行う場合に、準備を容易にし梱包の手間を少なくするため、エアを含んだ包装材を回収機に巻き付ける方法が考えられるが、この方法では、巻き付ける部材自体が使い捨てになり資源の無駄になるという問題がある。一方、使用済みになった複写機などの回収機は輸送車両に積載されて輸送されるが、輸送中に複写機の可動部分が飛び出して他の回収機とぶつかったりして破損しないようにテープ止めを数箇所行うことがある。しかし、梱包テープを用いて複写機の可動部分を固定するのもテープ自体が使い捨てになり梱包材を用いる場合と同様、資源の無駄になるという問題がある。
【０００７】
またテープを用いて固定を行う方法では、複写機等の再資源化を行う際、資源の分別を行うときにテープが邪魔となるためテープをはがす作業が必要になるが、この作業自体に手間がかかるうえ、さらに、テープののりが、テープを貼り付けた個所に残り、再生時にこれを洗浄したりしなければならないため、この作業の手間もかかるという問題がある。回収機を個別に梱包材を用いて梱包すれば、テープを用いる場合の問題は解決できるが、梱包材を用いたのでは、すでに述べたように、梱包材自体の費用もかかるし梱包自体にも手間がかかり、問題である。
【０００８】
使用済みになった複写機などの回収機は、倉庫などに一時ストックするため荷降ろしなどの作業が行われる。この場合も回収機の移動中に給紙トレイなどの可動部分が飛び出して作業者にぶつかればけがをする問題がある。かといって、すでに述べたような梱包、テープによる固定を行うと、上述のように種々の問題がある。しかしながら、作業者の安全を図ることは重要である。
【０００９】
本発明は、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保する技術を提供することを目的とする。
【００１０】
【課題を解決するための手段】
上記目的を達成するため、請求項１記載の発明は、画像形成装置等の本体に備えられた閉じた状態の開閉部材の開放を禁止する梱包構造であって、閉じた状態の開閉部材に巻き回す長さを有する電源コードと、閉じた状態の開閉部材に巻き回された上記電源コードに係合してこの状態を維持させることで同開閉部材の開放を禁止するための係合構造とを有することを特徴とする。
【００１１】
請求項２記載の発明は、請求項１記載の梱包構造において、上記開閉部材が画像形成装置等の本体上部に設けられ上方に向けて開放可能な蓋状の部材であることを特徴とする。
【００１２】
請求項３記載の発明は、請求項１または２記載の梱包構造において、上記開閉部材が画像形成装置等の本体正面中央部に設けられ前方に向けて開放可能な扉状の部材であることを特徴とする。
【００１３】
請求項４記載の発明は、請求項１ないし３の何れか１つに記載の梱包構造において、上記開閉部材が画像形成装置等の本体正面下部に設けられ前方に向けて開放可能な引き出し状の部材であることを特徴とする。
【００１４】
請求項５記載の発明は、請求項１ないし４の何れか１つに記載の梱包構造において、上記係合構造が、画像形成装置等の本体に設けられ上記電源コードが嵌合する溝であることを特徴とする。
【００１５】
請求項６記載の発明は、請求項１ないし４の何れか１つに記載の梱包構造において、上記係合構造が、画像形成装置等の本体に設けられ上記電源コードが嵌合する突起であることを特徴とする。
【００１６】
請求項７記載の発明は、請求項５または６記載の梱包構造のうち上記開閉部材が画像形成装置等の本体部に設けられ前方に向けて開放可能な引き出し状の部材である梱包構造において、上記係合構造を、同引き出し状の部材のうち最下段に設けられた引き出し状の部材を開放した状態で露出する同引き出し状の部材の部分に設けたことを特徴とする。
【００１７】
請求項８記載の発明は、請求項１ないし４の何れか１つに記載の梱包構造において、上記係合構造が、上記電源コードを着脱自在であるとともに、画像形成装置等の本体に固定可能な固定部材を有することを特徴とする。
【００１８】
請求項９記載の発明は、請求項８記載の梱包構造において、上記係合構造が、画像形成装置等の本体に形成された、上記固定部材に係合して同固定部材を固定する孔を有することを特徴とする。
【００１９】
請求項１０記載の発明は、請求項８記載の梱包構造のうち上記開閉部材が画像形成装置等の本体部に設けられ前方に向けて開放可能な引き出し状の部材である梱包構造において、上記係合構造が、同引き出し状の部材と、他の部材との間の、上記固定部材を挟持する大きさを有する間隙部であることを特徴とする。
【００２０】
請求項１１記載の発明は、請求項８ないし１０の何れか１つに記載の梱包構造に備えられる固定部材にある。
【００２１】
請求項１２記載の発明は、請求項１ないし１０の何れか１つに記載の梱包構造を用いて画像形成装置等の本体に備えられた閉じた状態の開閉部材の開放を禁止する梱包方法にある。
【００２２】
請求項１３記載の発明は、請求項１２記載の梱包方法のうち請求項８ないし１０の何れか１つに記載の梱包構造を用いる梱包方法に用いる固定部材にある。
【００２３】
請求項１４記載の発明は、請求項１ないし１０の何れか１つに記載の梱包構造により画像形成装置等の本体に備えられた閉じた状態の開閉部材の開放を禁止される画像形成装置等にある。
【００２４】
【実施例】
図１に本発明を適用した画像形成装置を示す。画像形成装置等とは複写機、ファクシミリ、プリンタ等の画像形成装置の他、家電製品等の電気機器を含むものであり、本発明を適用した梱包構造、梱包方法、固定部材を用いることができるものであればどのようなものでも良い。本実施例においては、画像形成装置等のうち画像形成装置として複写機の例を示している。
【００２５】
画像形成装置２０は、原稿画像に応じて画像を形成するものであって、原稿画像を読み取る、画像形成装置２０本体上部に位置する読み取り部２１と、読み取り部２１によって読み取られた原稿画像に基づいて画像形成を行う、画像形成装置２０本体中央部に位置する画像形成部２２と、画像形成部２２に向けて記録媒体としての用紙を送り出す、画像形成装置２０本体下部に位置する給紙部２３とを有している。
【００２６】
図１または図２に示すように、読み取り部２１は、上方に向けて開放可能な、開閉部材としての蓋状の部材である原稿搬送装置３１と、原稿搬送装置３１を上方に向けて開放した状態において露出する、読み取るべき原稿を載置するコンタクトガラス３２とを有している。原稿搬送装置３１は、画像形成装置２０本体の背面側を基準にして図２中矢印Ａで示すように弧を描いて動くことで開閉する。原稿搬送装置３１は、原稿を積載可能であるとともに、積載された原稿を一枚ずつ順にコンタクトガラス３２に向けて搬送する。図２においては原稿搬送装置３１を図１に示す閉じた状態から９０°はね上げた状態を示している。
【００２７】
画像形成部２２は、画像形成装置２０本体正面に設けられ前方に向けて開放可能な扉状の部材である、開放部材としての前カバー３３と、画像形成装置２０内部に位置し、図示を省略する、作像ユニットとしての作像装置、作像装置に対向して配置された転写ユニットとしての転写装置、記録媒体を作像装置による作像のタイミングにあわせて供給するレジストローラを備えた給紙ユニット、転写領域においてトナー像を転写された記録媒体を搬送する搬送ベルト、搬送ベルトによって搬送されてきた記録媒体に、記録媒体上に担持されたトナー像を定着する定着手段としての定着装置等を有している。前カバー３３はかかる画像形成装置２０内の転写装置等の内部構造を保護するとともに、かかる内部構造の修理、メンテナンス等の際に開放され、内部構造に対するアクセスを容易にするものである。前カバー３３は、画像形成装置２０本体の側面側を基準にして図２中矢印Ｂで示すように弧を描いて動くことで開閉する。図２においては前カバー３３を図１に示す閉じた状態から９０°前方に開けた状態を示している。
【００２８】
給紙部２３は、画像形成装置２０本体下部に位置し前方に向けて開放可能な引き出し状の部材である開放部材としての給紙トレイ３４と、画像形成装置２０本体内部に位置し、図示を省略する、給紙トレイ３４に積載された用紙を作像装置と転写装置とが対向する転写領域に向けて供給する記録媒体供給手段とを有している。前カバー３３は、図２中矢印Ｃで示すようにスライドして開閉する。給紙トレイ３４は上下方向に複数備えられており、それぞれが引き出し可能であるが、図２においては最下段の給紙トレイ３４のみが引き出された状態を示している。
【００２９】
図３に示すように、画像形成装置２０は、その作動に必要な電力を外部から受け取るための電源コード２４を有している。電源コード２４は、図１０に示されているように、画像形成装置２０の背面の下部から画像形成装置２０本体外部に露出している。画像形成装置２０は、この電源コード２４を備え、電源コード２４を利用して、画像形成装置２０の本体に備えられた、閉じた状態の開閉部材、すなわち原稿搬送装置３１と前カバー３３と給紙トレイ３４との開放を禁止する梱包構造を備えている。
【００３０】
本発明にかかる梱包構造は、電源コード２４の他、閉じた状態の開閉部材、すなわち原稿搬送装置３１と前カバー３３と給紙トレイ３４とに巻き回した状態の電源コード２４に係合してこの状態を維持させることで原稿搬送装置３１と前カバー３３と給紙トレイ３４との開放を禁止するための係合構造を有している。電源コード２４は一般的に原稿搬送装置３１と前カバー３３と給紙トレイ３４とに巻き回すに十分な長さを有しているが、本発明にかかる梱包構造を構成するには、電源コードに、閉じた状態の、開放を禁止すべき開閉部材に巻き回すに十分な長さを与えることを要する。
【００３１】
図４、図５に係合構造としての溝４１を示す。溝４１は、電源コード２４が嵌合するものであって、最下段の給紙トレイ３４の、引き出して開放した状態で露出する前縁３６の部分に形成されている。溝４１は、図４に示すように電源コード２４を嵌め込んだ状態とし、電源コード２４に摩擦力を与えて固定し、電源コード２４が抜けないようにするものである。
【００３２】
図３に示すように、この梱包構造１１においては、原稿搬送装置３１と前カバー３３と給紙トレイ３４とを閉じた状態とし、電源コード２４を、画像形成装置２０本体の背面から、上部、正面を経てはい回し、開放した最下段の給紙トレイ３４の溝４１に嵌め込んでから給紙トレイ３４を閉じた状態とし、これにより電源コード２４を張った状態で固定して原稿搬送装置３１と前カバー３３と給紙トレイ３４との開放を禁止する。
【００３３】
溝４１は電源コード２４との摩擦力により電源コード２４を固定し、原稿搬送装置３１と前カバー３３と給紙トレイ３４との開放を禁止するため、電源コード２４を嵌め込むことができるよう、電源コード２４の径と同程度の幅となっているとともに、原稿搬送装置３１と前カバー３３と給紙トレイ３４とが開こうとするときに作用する張力の作用方向に対して左右方向に湾曲している。原稿搬送装置３１と前カバー３３と給紙トレイ３４との開放を禁止するため、図３に示すように電源コード２４は最下段の給紙トレイ３４を閉じたときに張った状態とする必要があり、このため、図４に示すように、電源コード２４は必要な長さを残してその先端は給紙トレイ２４の内部に収容される。
【００３４】
図４に示すように、通常、電源コード２４の先端にはコネクタ２５が設けられており、コネクタ２５は他の部分に比して大きいため、電源コード２４の長さは、電源コード２４を溝４１に嵌めた状態でコネクタ２５が給紙トレイ３４の内縁３５に係合するようあらかじめ調整されていてもよい。調整方法としては、出荷の段階で電源コード２４の長さがかかる長さにされていること、作業者が電源コード２４を結ぶこと等があげられる。電源コード２４を結ぶ位置としては、図３に示すように電源コード２４が外部に露出している部分であってもよいし、図４に示すように、給紙トレイ３４の内部に余った部分でもよいが、電源コード２４を固定するためには後者のほうが望ましい。
【００３５】
画像形成装置２０の運搬の際などに、原稿搬送装置３１と前カバー３３と給紙トレイ３４とが開こうとすると、電源コード２４が引っ張られて最下段の給紙トレイ３４に開こうとする力が加わるが、給紙トレイ３４が開く方向に対して、電源コード２４に作用する張力の作用方向は上下方向に傾斜しているため、給紙トレイ３４が開くことはない。溝４１を形成する位置は給紙トレイ３４に限らず、電源コード２４を開放を禁止すべき開閉部材に巻き回した状態で電源コード２４の先端部分に係合する位置であればよく、画像形成装置２０の構成のうち電源コード２４を除いた部分である画像形成装置２０の本体側に設けられていれば良い。
【００３６】
したがって、図６に示すように、係合構造は、最下段の給紙トレイ３４の下面に突設され電源コード２４が勘合する突起４２であっても良い。この突起４２は給紙トレイ４２を引き出した状態で露出するものである。また、かかる溝形状、突起形状等の係合構造は、図示しないが、画像形成装置の本体をなす筐体の底板の下面に形成されていてもよい。
【００３７】
係合構造は、上述の溝４１、突起４２等のように電源コード２４を直接、画像形成装置２０本体側に固定するものでなく、電源コード２４を着脱自在であるとともに、画像形成装置２０の本体に固定可能な、図７に示すような固定部材４３を有していても良い。固定部材４３は、電源コード２４に巻き付け電源コード２４と一体化するベルト状のベルト部４３Ａと、ベルト部４３Ａの基端に設けられベルト部４３Ａの先端を挿入される孔部４３Ｂと、ベルト部４３Ａの孔部４３Ｂ寄りの部分に突設された連結部４３Ｃと、連結部４３Ｃによりベルト部４３Ａと連結され他の部分に比して大きい頭部４３Ｄとを有している。
【００３８】
図８に示すように、固定部材４３に電源コード４３を一体化するときは、電源コード２４をベルト部４３Ａに交差させてからベルト部４３Ａの先端を孔部４３Ｂに挿入し、ベルト部４３Ａを絞って電源コード２４にきつく巻き付け、電源コード２４の先端部を電源コード２４の他の部分に巻き付ける。固定部材４３を介して電源コード２４を画像形成装置２０本体に固定する係合構造においては、固定部材４３を画像形成装置２０本体に固定する構造を要する。図８、図９は、固定部材４３とともに、最下段の給紙トレイ３４と他の部材であるその直上の給紙トレイ３４との間の、固定部材４３を挟持する大きさを有する間隙部４４とを有する係合構造４５を示している。
【００３９】
係合構造４５を備えた梱包構造においては、原稿搬送装置３１と前カバー３３と給紙トレイ３４とを閉じた状態とし、電源コード２４を、画像形成装置２０本体の背面から、上部、正面を経てはい回すとともに、上述のようにして電源コード４３を固定部材４３に一体化し、頭部４３Ｄを開放した最下段の給紙トレイ３４の内縁３５の内側に配置し、連結部４３Ｃを給紙トレイ３４の前縁３６に載せてから給紙トレイ３４を閉じた状態とし、固定部材４３を間隙部４４により挟持して固定し、これにより電源コード２４を張った状態で固定して原稿搬送装置３１と前カバー３３と給紙トレイ３４との開放を禁止する。
【００４０】
画像形成装置２０の運搬の際などに、原稿搬送装置３１と前カバー３３と給紙トレイ３４とが開こうとすると、電源コード２４により固定部材４３が引っ張られるが、頭部４３Ｄが内縁３５に引っかかっているから固定部材４３が間隙部４４から離脱することはなく、また、固定部材４３が引っ張られると最下段の給紙トレイ３４に開こうとする力が加わるが、給紙トレイ３４が開く方向に対して、電源コード２４に作用する張力の作用方向は上下方向に傾斜しているため、給紙トレイ３４が開くことはない。
【００４１】
固定部材４３を画像形成装置２０本体に固定する構成として、係合構造は、図１０に示すように画像形成装置２０の本体をなす筐体の底板に形成されたストッパ４６を有するものであっても良い。このような係合構造を有する梱包構造１２によっても、電源コード２４と一体とされ画像形成装置２０本体に固定された固定部材４３により、間隙部４４を有する場合と同様にして電源コード２４によって原稿搬送装置３１と前カバー３３と給紙トレイ３４との開放が禁止される。
【００４２】
固定部材４３を用いた係合構造としては、図示しないが、画像形成装置２０の本体をなす筐体の底板に形成された、固定部材４３に係合して固定部材４３を固定する孔を有するものが挙げられる。かかる孔は、画像形成装置２０の軽量化を図る目的や、画像形成装置２０の組み立ての際の溶接を行うための目的で、かかる筐体の剛性を低下させない程度に、ユーザーの目に付かない部分であるかかる底板に、一般的に形成され、通常備えられているものであり、これを係合構造として利用するものであるため、係合構造を形成するために特別の工程を要しないという利点がある。
【００４３】
間隙部４４を用いるもの、孔を用いるもの等、固定部材４３を有する係合構造を備えた梱包構造によれば、あらかじめ溝４１や突起４４が形成されていないような他社等の製品であっても、使用済み機器の搬送等の際の開閉部材の開放を容易に禁止できる。特に、孔を用いる係合構造を用いる梱包構造においては、孔が通常備えられていることから利便性が非常に高い。なお、固定部材４３は、種々の形状のものを作成し、使用済み機器の機種に合わせて使い分けることも可能である。
【００４４】
本発明にかかる梱包方法、梱包構造等は、上述の実施例のように、その画像形成等の電気機器が複数の開閉部材を備えている場合には、その開閉部材のすべての開放を禁止することが望ましいが、たとえば、一部の開閉部材において特別の開放禁止手段が設けられている場合など、運搬等によっては開放が生じること起こりえないような場合には、他の一部の開閉部材のみに電源コードを巻き回してその一部の開閉部材の開放のみを禁止するものであっても良い。
【００４５】
開閉部材は、本体上部、本体正面中央部、本体正面下部に限らず、どの部位に備えられているものであってもよく、電源コードの巻き回しによりその開放が禁止されるものであれば良い。本発明にかかる梱包構造、梱包方法、固定部材は、画像形成装置等のうち比較的大型のものが多く、開閉部材の多い傾向にある画像形成装置を回収等する際に特に有効である。
【００４６】
【発明の効果】
本発明は、画像形成装置等の本体に備えられた閉じた状態の開閉部材の開放を禁止する梱包構造であって、閉じた状態の開閉部材に巻き回す長さを有する電源コードと、閉じた状態の開閉部材に巻き回された上記電源コードに係合してこの状態を維持させることで同開閉部材の開放を禁止するための係合構造とを有するので、開閉部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる梱包構造を提供することができる。
【００４７】
開閉部材が画像形成装置等の本体上部に設けられ上方に向けて開放可能な蓋状の部材であることとすれば、かかる蓋状の部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる梱包構造を提供することができる。
【００４８】
開閉部材が画像形成装置等の本体正面中央部に設けられ前方に向けて開放可能な扉状の部材であることとすれば、かかる扉状の部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる梱包構造を提供することができる。
【００４９】
開閉部材が画像形成装置等の本体正面下部に設けられ前方に向けて開放可能な引き出し状の部材であることとすれば、かかる引き出し状の部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる梱包構造を提供することができる。
【００５０】
係合構造が、画像形成装置等の本体に設けられ電源コードが嵌合する溝であることとすれば、電気コードを溝に嵌めるという簡易な構造で開閉部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる梱包構造を提供することができる。
【００５１】
係合構造が、画像形成装置等の本体に設けられ電源コードが嵌合する突起であることとすれば、電気コードを溝に嵌めるという簡易な構造で開閉部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる梱包構造を提供することができる。
【００５２】
係合部材が溝または突起を有する梱包構造のうち開閉部材が画像形成装置等の本体部に設けられ前方に向けて開放可能な引き出し状の部材である梱包構造において、係合構造を、同引き出し状の部材のうち最下段に設けられた引き出し状の部材を開放した状態で露出する同引き出し状の部材の部分に設けたこととすれば、電気コードを、引き出し状の部材を開放させ露出させた係合構造にて係止し、引き出し状の部材を閉じれば電気コードの固定及び開放部材の閉じた状態における固定が完了するという簡易な構造で、開閉部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる梱包構造を提供することができる。
【００５３】
係合構造が、電源コードを着脱自在であるとともに、画像形成装置等の本体に固定可能な固定部材を有することとすれば、予め係合構造が形成されていない画像形成装置等であっても、リサイクル容易、着脱容易かつ接着剤が不要である固定部材を用いることで、開閉部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができるとともに、画像形成装置等の容易なリサイクルに寄与し、また固定部材をリサイクルすることで環境に対する配慮に優れた梱包構造を提供することができる。
【００５４】
係合構造が、画像形成装置等の本体に形成された、固定部材に係合して同固定部材を固定する孔を有することとすれば、一般に画像形成装置等に形成されている孔を、固定部材の固定に利用することにより、予め係合構造が形成されていない画像形成装置等であっても、開閉部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる梱包構造を提供することができる。
【００５５】
固定部材を有する梱包構造のうち上記開閉部材が画像形成装置等の本体部に設けられ前方に向けて開放可能な引き出し状の部材である梱包構造において、上記係合構造が、同引き出し状の部材と、他の部材との間の、上記固定部材を挟持する大きさを有する間隙部であることとすれば、一般に画像形成装置等に備えられているかかる間隙部を、固定部材の固定に利用することにより、予め係合構造が形成されていない画像形成装置等であっても、開閉部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる梱包構造を提供することができる。
【００５６】
本発明は、請求項８ないし１０の何れか１つに記載の梱包構造に備えられる固定部材にあるので、予め係合構造が形成されていない画像形成装置等であっても、開閉部材の開放を簡易に禁止して、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができるとともに、画像形成装置等の容易なリサイクルに貢献し、また固定部材をリサイクルすることで環境に対する配慮に優れた梱包構造を提供することに寄与する固定部材を提供することができる。
【００５７】
本発明は、請求項１ないし１０の何れか１つに記載の梱包構造を用いて画像形成装置等の本体に備えられた閉じた状態の開閉部材の開放を禁止する梱包方法にあるので、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができる簡易な梱包方法を提供することができる。
【００５８】
本発明は、請求項１２記載の梱包方法のうち請求項８ないし１０の何れか１つに記載の梱包構造を用いる梱包方法に用いる固定部材にあるので、    できる固定部材を提供することができる。
【００５９】
本発明は、請求項１ないし１０の何れか１つに記載の梱包構造により画像形成装置等の本体に備えられた閉じた状態の開閉部材の開放を禁止される画像形成装置等にあるので、予め係合構造が形成されていない画像形成装置等であっても、使用済みの画像形成装置等、使用済み機器の回収の際における、回収先の壁等の破損、養生の手間、人件費の増加、準備の手間、回収場所での作業スペース確保、作業時間の長期化、再資源化の分別時のテープ剥がしの手間及び梱包材などの資源の無駄使いを回避しつつ、機器の回収を行う作業者の安全を確保することができるとともに、画像形成装置等の容易なリサイクルに貢献し、また固定部材をリサイクルすることで環境に対する配慮に優れた簡易な梱包方法を提供することに寄与する画像形成装置等を提供することができる。
【図面の簡単な説明】
【図１】本発明を適用した梱包構造を備え、本発明を適用した梱包方法により開閉部材の開放を禁止される画像形成装置を示す斜視図である。
【図２】図１に示した画像形成装置に備えられた開閉部材が開放された様子を示す斜視図である。
【図３】図１に示した画像形成装置において開放部材の開放が禁止された様子を示す斜視図である。
【図４】図３に示した画像形成装置に備えられた係合構造に電源コードが嵌合した様子を示した要部の斜視図である。
【図５】図４に示した係合構造を示す要部の斜視図である。
【図６】別の係合構造の構成例を示す要部の斜視図である。
【図７】固定部材の構成例を示す斜視図である。
【図８】図７に示した固定部材を用いる梱包構造等を説明するための斜視図である。
【図９】図７に示した固定部材を用いる梱包構造等を説明するための側断面図である。
【図１０】図７に示した固定部材を用いた梱包構造等の別の例を示す側面図である。
【符号の説明】
１１、１２    梱包構造
２０    画像形成装置等
２４    電源コード
３１    蓋状の部材である開閉部材
３３    扉状の部材である開閉部材
３４    引き出し状の部材である開閉部材
４１    係合構造である溝
４２    係合構造である突起
４３    係合構造を構成する固定部材
４４    係合構造を構成する間隙部
【図１】
2004252343.tif 000003
【図２】
2004252343.tif 000004
【図３】
2004252343.tif 000005
【図４】
2004252343.tif 000006
【図５】
2004252343.tif 000007
【図６】
2004252343.tif 000008
【図７】
2004252343.tif 000009
【図８】
2004252343.tif 000010
【図９】
2004252343.tif 000011
【図１０】
2004252343.tif 000012